(57)【要約】      （修正有）【課題】尿失禁を検知する尿検知部を備え、第３者には尿漏れを感知し難い構造に形成した介護用座布団を提供する。【解決手段】尿感知部と、透液性シート１０２の下に不透液性シート１０４を重ね、両シートの間に吸水性のパットを挟持させた吸水シート部と、を順次上から重ねて袋体２０，３０に収容した介護用座布団を構成する。また、前記尿感知部は液体に濡れて色彩が鮮明になる透液性シートであり且つ、袋体の尿感知部側は網状又は円孔状等の多数の開口１３３を有し且つその厚さにより前記開口より前記尿感知部の変色を判別可能な範囲を制限する。尿感知部は本来着色された吸水シート１０１であるが、該吸水シートは濡れた場合、色彩が鮮明に見えるため尿漏れを袋体の外より該網状又は円孔状に加工された部分奥にある尿感知部を真上からは容易に識別出来る。逆に第３者は前記網状又は円孔状の部分の厚さにより視界が制限され気づき難く、特に注意していないと識別は出来ないという効果を奏する。【選択図】図１
0003168079.tif 000002
【実用新案登録請求の範囲】
【請求項１】
尿感知部と，透液性シートの下に不透液性シートを重ね両シートの間に吸水性のパットを挟持させた吸水シート部と，を順次上から重ねて速乾性の袋体に収容したものにおいて、前記尿感知部は液体の滴下により色彩が鮮明になる透液性シートであり，且つ袋体の尿感知部側は網状又は円孔状等の多数の開口を有し且つその厚さにより前記開口部より前記尿感知部の変色を判別可能な範囲を制限していることを特徴とする介護用座布団。
【請求項２】
尿感知部と吸水性シート部の下にクッションを重ねて袋体に収容した請求項１に記載の介護用座布団。
【請求項３】
尿感知部の着色した透液性シートは袋体の尿感知側と同系色である請求項１又は請求項２に記載の介護用座布団。
【請求項４】
尿感知部は液濡れにより透明度を増す透液性の半透明のシートの下に着色されたシートを重ねて成る請求項１乃至請求項３の何れかの１項に記載の介護用座布団。
【請求項５】
袋体は容易に乾燥する材料で加工されており，下面は滑り難い材料を添付し，更に下面の全幅に亘る吸水シート取り出し口を設けたことを特徴とする請求項１乃至請求項４のいずれか１項に記載の介護用座布団。
【考案の詳細な説明】
【背景技術】
【０００１】  本考案は，公知の介護用座布団の改良に関するもので、特に尿感知のセンサーを設けながら第３者には尿漏れを感知し難いように配慮されており且つ安価な製品を提供しようとするものである。
【先行技術文献】
【０００２】  特許文献１には尿失禁の恐れがある被介護者にも安心して使用できる介護用座布団の技術が公開されている。これは不透液性シートの上に透液性シートを重ね，両シートの間に吸水性パッドを挟持させた吸水シート部と該吸水シート部の下面に設けられたクッションシート部とを重ねて袋体に収容するようにしている。また特許文献２には排泄物が周縁部に到達した時期を外部から容易に知る使い捨ておむつの技術が開示されている。
【０００３】  これらの特許文献は介護者と被介護者即ち当事者の間での課題を解決したものである。具体的には，前記介護用座布団の場合，介護者は被介護者の使用した座布団の袋体から吸水シート部を引き出して尿漏れの有無を確かめることができる。また使い捨ておむつの場合，被介護者の衣類をはいで装着しているおむつの外から交換時期を確かめることにより問題は解決している。
【０００４】  しかしながら介護用座布団の場合、上記公知の介護用座布団における被介護者と，その同僚又は上記使い捨ておむつにおける被介護者と第３者の集まりという第３者が介在している多数の人の集まりが特定のサービスを受ける場合がある。具体的には老人会の宴会等を引き受けた旅館とか老人会等の集会の会場やサービスを提供する業者は多数の人が使用した座布団の中から尿の失禁により濡れた座布団を摘出する仕事が後片付けの仕事に追加されることになる。この際，多数の座布団について一々中の吸水シート部を引き出して尿漏れの有無を確認することは能率的でない。又、上記使い捨ておむつのように外見から即選別が可能な識別方法では同席する同僚からも容易に知れることであり、本人のプライバシーを守る見地からは好ましくない。
【０００５】  このような事情に直面している事例として老人等の移動を担当するバス会社の場合がある。尿の失禁により床に張り巡らした絨毯に尿が染込むと，やがて臭気のために絨毯をはがして洗浄する必要が生じ，洗浄し，再度車両に取り付ける費用及びその間の体車による損失は甚大であり対策に苦慮している。このケースの場合も尿失禁対策として各座席に介護用座布団を備えることは問題解決の一助となることが期待される。しかし、特許文献２の手法により尿漏れの有無を容易に知ることができるにしても第３者即ち同僚には気がつかれないような配慮が必要である。
【特許文献】
【０００６】
【特許文献１】特開２００５−３１９２６５  （３頁）
【特許文献２】特開２００３−１９０２０９  （３〜４頁）図１
【考案の概要】
【考案が解決しようとする課題】
【０００７】  本考案は前記の如き事情からなされたもので，尿失禁の可能性がある人を含む団体にサービスを提供する業者に尿濡れの有無の識別が容易であるが，第３者には気づき難い方法で尿感知センサーを設け，後処理が簡単でサービス提供者の負担が少なく、且つ安価な介護用座布団を提供しようとするものである。
【課題を解決するための手段】
【０００８】  本考案の第１の手段は請求項１に該当し，尿感知部と，透液性シートの下に不透液性シートを重ね、両シートの間に吸水性のパットを挟持させた吸水シート部と，を順次上から重ねて袋体に収容した介護用座布団において，前記尿感知部は液体に濡れて色彩が鮮明になる透液性シートであり且つ、袋体の尿感知部側は網状又は円孔状等の多数の開口を有し且つその厚さにより前記開口より前記尿感知部の変色を判別可能な範囲を制限するようにしている。【０００９】  本考案の第１の手段によれば，尿感知部は本来着色された吸水シートであるが，該吸水シートは濡れた場合，色彩が鮮明に見えるため尿漏れを袋体の外より該網状又は円孔状に加工された部分奥にある尿感知部を真上からは容易に識別出来る。逆に第３者は前記網状又は円孔状の部分の厚さにより視界が制限され気づき難く、特に注意していないと識別は出来ないという効果を奏する。【００１０】  前記趣旨から尿感知部は的確に尿の感知が出来る範囲で、出来るだけ小さいことが好ましい。具体的には尿感知部は、袋体の尿感知部側が網状で、縦、横の開口長さが異なる場合、網状の開口長さが短い方向に長辺を持つ長方形の尿感知部とすることにより、第３者により気づき難いという効果を奏することが出来る。【００１１】  本考案の第２の手段は，請求項２に該当し，本項案の第１の手段に加えての吸水シート部の下側にクッションシートを追加するようにしている。【００１２】  本考案の第２の手段によれば長時間座っていても足腰に疲れを感じない本格的な介護用座布団とすることが出来る。又クッションシートの効果により腰が沈み、漏れた尿が腰下に集中し易く尿が集まる効果を奏する。【００１３】  本考案の第３の手段は，請求項３に該当し，本考案の第１又は第２の手段に加えて尿感知部の着色した透液性シートは袋体の尿感知側と同系色とする又は模様を描くようにしている。【００１４】  本考案の第３の手段によれば本考案の第１又は，第２の手段に加えて益々第３者の尿漏れ感知を難しくするという効果を奏する。【００１５】  本考案の第４の手段は、本考案の第１乃至第３の何れかの手段に加えて尿感知部は液濡れにより透明度を増す透液性の半透明のシートの下に着色されたシートを重ねて成るようにしている。【００１６】  本考案の第４の手段によれば本考案の第１乃至第３の手段の何れかに加えて尿感知部の材料は例えばティッシュペーパーと色紙の組み合わせが可能であり、より安価な尿感知部の選択を可能にするという効果を奏する。【００１７】  本考案の第５の手段は，請求項５に該当し，本考案の第１乃至第４の手段の何れかに加えて袋体は容易に乾燥する材料で加工されており，下面は滑り難い材料を添付し、更に下面の全幅に亘る吸水シート取り出し口を設けるようにしている。【００１８】  本考案の第５の手段によれば，介護用座布団が要介護者の腰下から移動して外れる可能性が少なく介護用座布団の機能を果たすことになり、吸水シートは容易に吸水シート取り出し口から取り出せ且つ、洗濯した場合も速やかに乾燥して再利用できるため，介護用座布団そのものの予備の保持を削減でき而も安価であるため金額的負担も少ないという効果を奏する。
【考案の効果】
【００１９】本考案の効果を箇条書きに纏めれば、以下の通りとなる。
１．本考案の尿感知部は着色した吸水性のシートよりなる極めて安価，尿感知部側の袋体は尿感知部の変色を覗き見が可能な程度に厚みがある開口の加工を施して第３者には気づき難くして本人のプライバシーの保護に配慮している。
２．吸水シート部のみを使い捨てとし、安価な介護用座布団としての実用性を追求し，再使用可能なクッションを追加可能にして座布団としての座り心地の向上を計った。
３．尿感知部の色を尿感知部側の袋体の色と同系色又は模様を描き、第３者に更に気づき難くした。
４．網形状に応じて尿感知部の形状にも配慮し第３者に更に気づき難くした。
５．座布団の下面を滑り難くして尿漏れを確実に座布団に収容出来るように計った。
６．袋体には樹脂製材料を使用して洗浄の容易さと速乾性の向上を図った。速やかな回転と安価により予備を削減しスペース及び金額の負担を削減する。
【図面の簡単な説明】
【００２０】
【図１】本考案実施の第１例を示す介護用座布団の斜視展開図である。
【図２】本考案実施の第２例を示す介護用座布団の斜視展開図である。
【図３】図１のＡ矢視図である。
【図４】（ａ），（ｂ），（ｃ）本考案実施の第２例を示す尿検知部の形状を示す斜視展開図である。
【考案を実施するための形態】
【００２１】本考案の好適な実施例を図１及び図３により詳細に説明する。
【実施例１】
【００２２】  図１は本考案実施の第１例を示す斜視展開図である。図３は図１のＡ矢視図である。図１に於いて１０１は着色された透液性シートである。該着色された透液性シート１０１は単体で尿感知部を構成する。該着色された透液性シートは、尿により濡れた場合に鮮明度を増し鮮明に見えるものであることが好ましく，桃色に着色されたインクの吸取紙が、実用的である。又親水性不織布であっても良い。【００２３】  前記着色された透液性シート１０１は，尿に濡れても簡単に破れないことが望ましく着色された透液性の不織布であっても，画用紙程度の厚みがあり、必要とあれば透液性を確保するために全面に直径１ｍｍ程度の小孔を明けたものであっても良い。【００２４】  １０２は１枚の透液性シートを用いて成形された上外皮部であり，該上外皮部１０２は、上方に凸部の収容部を形成している。上外皮部の１０３は後述する下外皮部との結合用フランジである。１０４は不透液性シートを用いた下外皮部であり，前記上外皮部１０２に対向して下方に凸の収容部を形成している（本図には図示せず）。１０５は前記下外皮部１０４の結合用フランジ部である。前記上外皮部１０２の凸部と下外皮部１０４の下方に凸に成形した収容部には図示しない公知の吸水性パットが収容され、前記結合用フランジ１０３と１０５で密封され吸収シート１１を形成している。【００２５】  透液性シートを用いて成形された上外皮１０２は，親水性の天然繊維や，合成繊維の織布又は不織布を用いてよい。下外皮１０５は尿などの液体が漏れ出ないものであれば良く例えばポリエチレン，塩化ビニール，又はナイロン等の合成樹脂の柔軟性のあるフィルムを用いる。上外皮１０２と下外皮１０４は共に人が座ってある程度揺動しても破れない程度の強度を有すればよく，又フランジ部１０３及びフランジ部１０５は重ね合わせて縫い合わせて一体にしても，材料によっては高周波ミシン等で，又は耐水性接着剤で貼り付けて固定しても良い。図示しない吸水パットの材料は，公知の使い捨ておむつ等に広く採用されている綿状パルプと吸水性ポリマーの混合物を使用した。【００２６】  ２０は下袋体であり，３０は上袋体である。前記下袋体２０において１２１は底部である。該底部１２１には実線１２７及び破線１２８で示す取り出し口を有する。該実線１２７と破線１２８で示す部分が取り出し口の重ね代である。
１２２，１２２は前記底部１２１の左右の側部である。１２５，１２５は前記底部１２１の前後の側部である。１２４（一部図示せず）は左右側部１２２，１２２の前後両端に設けた前後側部１２５，１２５との結合部である。１２３，１２３はそれぞれ左右側部１２２，１２２の外端に設けた結合部である。１２６，１２６はそれぞれ前後側部１２５，１２５の外側に設けた結合部である。結合部１２３，１２３，１２６，１２６は，その両端を４５度方向に切断してある。下袋体２０は合成繊維の織物でも柔軟性がある合成樹脂のフィルでも良い。なお一般の繊維を織った織物でも公知の速乾処理したものが好ましい。【００２７】  前記底部１２１の大きさは，前記底部１２１の左右の側部１２２，１２２の前後両端の結合部１２４，１２４，１２４，１２４の各々を底部１２１の前後の側部１２５，１２５に結合することにより，底部１２１を底とし，前記吸水シート１１，尿感知部及び前記上袋体３０を収容する側部１２２，１２２，１２５，１２５の高さを持つ下袋体２０となる。なお底部１２１のサイズは前記吸水シート１１がぴったりと収容されるサイズとし，上袋体３０より流れた尿は確実に吸水シート１１が収容し底部１２１及び側部１２２，１２５の下部に尿漏れが及ばないようしている。【００２８】  １２９は滑り止めである。該滑り止め１２９の上面は接着面で接着剤が塗布されており，下面は細い繊維１３０を植設している。本滑り止め１２９は前記した袋体２０の底部１２１の下面に接着する。本滑り止めは植毛加工された織物の座面又は一般の織物の表皮を持つ椅子の座面に置いた場合滑り止めの効果がある。
表面が平滑な例えば樹脂製の表皮材の座面では上記滑り止めでは効果が期待出来ない。この様な場合には前記繊維１３０に変えて多数の吸盤を設けた滑り止めが効果を奏する。【００２９】  ３０は上袋体である。該上袋体３０において，１３１、１３１は左右結合部である。１３２，１３２は前後結合部である。該左右結合部１３１，１３１，は下袋体２０の左右結合部１２３，１２３との結合部である。前後結合部１３２，１３２は下袋体２０の前後結合部１２６，１２６との結合部である。【００３０】  図３も参照して１３３は上袋体３０の透液性を確保するために網状に加工された開口を示しているが，その他円孔に加工されていても、四角穴に加工されていても良い。１３４は上袋体３０の破断面である。該破断面１３４は前記網状に加工された開口の深さを示す。【００３１】  図３における１３５，１３５は上下の表層部で１３６は該上下の表層部１３５，１３５間に固定され、表層部１３５，１３５を支持する多数の繊維である。該上下の表層部１３５、１３５の網状の開口は、上下が一致するように前記多数の繊維１３６により密に支持されており而も前記多数の繊維１３６を通して隣の開口が見えることがないため、あたかも厚み１３４を持つ一枚の網状開口を持つ上袋体３０の如き構成となっている。【００３２】  先記多数の繊維１３６は何れも一様に図示の如き一定の曲率を持っており上袋体３０の外部からの荷重に対して柔軟に変形するため液体の浸透を許さない樹脂製であるにも拘わらず寒冷時にも冷たい感触が無く柔軟で介護用座布団の上袋として好ましい機能を示す。【００３３】  本介護用座布団は，下袋体２０に吸水シート１１及び尿感知部を収容し更にその上に袋体３０を重ねて上袋体３０の左右結合部１３１，１３１を下袋体２０の左右結合部１２３，１２３で結合し，又上袋体３０の前後結合部１３２，１３２を下袋体２０の前後結合部１２６，１２６と結合して完成する。【００３４】  次に作用を説明する。
本介護用座布団の使用者が不幸にして尿失禁した場合，尿はズボンを透過して上袋体３０に達し，上袋体３０の開口１３３から尿感知部に至る。尿は，着色された透液性シート１０１を濡らし色彩を増して上袋体３０の開口部を通して確認可能であるが、図３の可視範囲Ｂを超える範囲では見えないためプライバシーの保護上好ましい。尚尿感知部は可能な限り小さくして第３者に気づかれぬように配慮するのがよい。本実施例では図１に示す如く上袋体３０の開口形状が網状のため尿感知部の形状は前記開口形状が長辺の方向に辺が短い長方形とすることが第３者に気づかれ難いので好ましい。【００３５】  又、尿感知部の色彩がピンク色であったため、表層部１３５，１３５の色彩は該尿感知部の色彩と同系色の薄桃色とした結果、第３者は座布団から少し離れた所からは気づかれ難いことが判った。
表層部１３５，１３５に模様を入れることも尿感知部の色彩の変化を見分け難くする効果がある。【００３６】  又吸水シートは介護用座布団の袋体側部１２２，１２５に一杯に収容して上袋体３０から漏出した尿は確実に吸水シート１１に吸収され下袋体２０の側部１２２，１２５及び底部１２１に及ぶことが少ないように配慮した。【００３７】  乗合自動車の椅子の座面が植毛加工された織物の場合、滑り止め１２９の滑り止め効果は良好で、自動車による長時間の移動にも拘わらず介護用座布団が椅子の座面から移動することが殆ど無かった。平滑な樹脂製表皮の椅子の座面については繊維１３０に変えて多数の吸盤を設けた滑り止めが効果的であるが、椅子の座面の表皮の形状及び表面の微細なしぼ加工の状態や表面全体の形状に応じて吸盤の大きさ、吸盤の材料の及び滑り止め１２９の前記底部１２１への配置について実験的な確認を要する。【００３８】  尿を収容した吸水シート１１は下袋体２０の底部１２１の取り出し口１２７，１２８を介して容易に取り出し新品と交換が出来る。又、尿検知部の交換も容易に出来るため作業者の負担とは成らない。
本介護用座布団の下袋体２０、上袋体３０は共に柔軟な樹脂を主体にした材料を使用した場合、洗濯しても速乾が早く、価格的にも安価であるため予備として備蓄しておく数は少量で備蓄スペース、価格的にも負担が少ないという効果を奏する。
【実施例２】
【００３９】  図２及び図４は、本考案の第２の実施例を示す図である。図１と図２を比較して１１１はクッションである。該クッション１１１は図１の吸水シート１１と下袋体２０の間に追加したものである。また尿感知部及び上袋体４０は図１と異なる。尚下袋体２０の側部の高さが前記クッション１１１を収容する分だけ高くなっているのみであるから，図２においては尿感知部及びクッション１１１及び上袋体４０以外は図１と同じ符号を付して説明を省略する。【００４０】  図２において１０６は半透明の透液性シートである。又１０７は着色された透液性シートである。これら半透明の透液性シート１０６と着色された液透過性シート１０７は一体に重ねて尿感知部を構成する。本実施例では半透明の透液性シート１０６にティッシュペーパーを用い，着色された液透過性シート１０７には赤色に染色した親水性の不織布を用いた。なお尿感知部は、図１の例と同様に実用上差し支えない範囲で形状は小さい方が好ましい。【００４１】  図４は尿感知部の応用例として半透明の透液シート１０６はトイレットペーパーを用い着色された液透過性シートの代わりに染色された不透液性の画用紙を十字型１０８、中抜き円形１０９、中抜き四角１１０も試みた。
１１１はクッションである。該クッション１１１は公知のスポンジ状の樹脂又は綿を用いるが今回はスポンジ状の樹脂を用いた。【００４２】  ４０は上袋体である。該上袋体４０において，１４１、１４１は左右結合部である。１４２，１４２は前後結合部である。該左右結合部１４１，１４１，は下袋体２０の左右結合部１２３，１２３との結合部である。前後結合部１４２，１４２は下袋体２０の前後結合部１２６，１２６との結合部である。
１４３は円孔である。該円孔１４３は上袋体４０の全面に亘り一様且つ密に穿孔されている。１４４は上袋体４０の厚さである。前記円孔１４３の直径と上袋体の厚さ１４４は同じとした。【００４３】  本介護用座布団は、半透明の透液性シート１０６と着色された透液性シート１０７を一体に重ねた尿感知部の下に吸水シート１１を重ねその下にクッション１１１を重ねて下袋体２０に収容し、前記上袋体４０を前記尿感知部の上に重ねて前記上袋体４０の左右結合部１４１，１４１と下袋体２０の左右結合部１２３，１２３と結合する。又袋体４０の前後結合部１４２，１４２と下袋体２０の前後結合部１２６，１２５と結合して完成する。次に作用を説明する。【００４４】  尿感知部に水を滴下させるとトイレットペーパーの液濡れ部分は、ほぼ透明となり着色された親水性不織布は明確にトイレットペーパーを透過して見えるので液濡れは容易に確認出来る。しかし上袋体４０の円孔１４３を通して覗いた場合、計算上は真上から約４５度の方向まで視認できる筈であるが、実情としては、真上から３０度の範囲を超えると視認が困難になる。【００４５】  図４に不透液性シートである着色画用紙を用いた場合十字１０８，中抜き円１０９，中抜き四角形１１０の何れも液濡れは容易に確認出来る。又何れも不透液性シートであっても液滴が吸水シート１１に吸収される様子は前記透液性シートを用いた場合と差異はなかった。即ち、着色された透液性シート１０７は適切な形状を選ばれた不透液性シート１０８，１０９，１１０に置き換えることが出来る。【００４６】  また半透明の透液性シート１０６はトイレットペーパーを用いることも可能であることが液滴の滴下試験で判明した。【００４７】  本介護用座布団でクッション１１１を追加することにより座り心地は著しく改善される。又クッション１１１により本介護用座布団は，使用者の腰の部分を中心に上方に凹となり尿を腰の辺を中心に集まり易い形状となるため，尿が吸水シート１１の中央部に集中して収容される傾向を示し下袋体２０に漏れ出す恐れが減少するという効果も示す。これはクッション１１１そのものが尿により汚されることが少なく再使用が出来る効果にも寄与している。
【産業上の利用可能性】
【００４８】  本考案になる介護用座布団は，以下の多くの利点を有するため大量に使用する旅館，割烹料理店，集会場，団体旅行又は移動自動車の経営者に支持されることが期待される。
１．多人数にサービスを提供する業者には尿漏れの識別が容易であるにも関らずプライバ    シーの保護に留意した製品である。
２．座席（特に自動車の座席）からのずれ落ちを防止する効果により尿漏れを収容する確    率を高めている。
３．尿漏れした座布団の処理が容易で，消耗品と再使用品の使い分けが明瞭であること。
４．洗濯後容易に乾燥するので高い回転率で使用が可能。結果、予備の備蓄の費用、スペ    ースを最小限に出来る。
５．消耗品が特に安価で、維持経費が低額で済む。
６．全体に安価な材料且つ製造が容易であること。
【符号の説明】
【００４９】  １０１、１０７  着色された透液性シート
１０２  透液性シート
１０３、１０５  結合部
１０４  不透液性シート
１０６  半透明の透液性シート
１０８，１０９，１１０  着色された不透液性シート
２０  下袋体
１２１  底部
１２２  左右側部
１２３  左右結合部
１２４  結合部
１２５  前後側部
１２６  前後結合部
１２７、１２８  取り出し口
１２９  滑り止め
１３０  繊維
３０、４０  上袋体
１３１、１４１  左右結合部
１３２、１４２  前後結合部
１３３  開口
１３４  破断面
１３５  表皮部
１３６  繊維
１４３  円孔
１４４  厚さ
Ｂ  可視範囲
【図１】
0003168079.tif 000003
【図２】
0003168079.tif 000004
【図３】
0003168079.tif 000005
【図４】
0003168079.tif 000006